(57)【特許請求の範囲】
【請求項１】
作業場面を表す複数の作業場面画像、及び作業の安全性を低下させる要素である不安全要素を表す複数の不安全要素画像を記憶する画像データベースと、
前記複数の作業場面画像を選択可能に表示する作業場面画像選択受付部と、
選択された前記作業場面画像を用いて、最終コマ画像を作成する最終コマ作成部と、
前記複数の不安全要素画像を選択可能に表示する不安全要素画像選択受付部と、
選択された前記不安全要素画像を用いて、最終コマ以外の画像を作成するストーリーコマ作成部と、
作成された各コマの画像を並べて表示するコマ画像表示部と、
を含む危険予知訓練支援装置。
【請求項２】
前記不安全要素画像選択受付部は、不安全要素の種類毎に、前記複数の不安全要素画像を選択可能に表示する請求項１記載の危険予知訓練支援装置。
【請求項３】
前記不安全要素の種類は、アイテム、又は外乱を含む請求項２記載の危険予知訓練支援装置。
【請求項４】
前記外乱は、天気に関するもの、時間若しくは時期に関するもの、人の心境若しくは体調に関するもの、周囲の生き物に関するもの、又は作業環境に関するものを含む請求項３記載の危険予知訓練支援装置。
【請求項５】
作業場面の種類毎に、推奨される複数の不安全要素画像が予め定められており、
前記不安全要素画像選択受付部は、前記複数の不安全要素画像を選択可能に表示する際に、
選択された前記作業場面画像が表す作業場面の種類に対して推奨される複数の不安全要素画像を選択可能に表示する請求項１〜請求項４の何れか１項記載の危険予知訓練支援装置。
【請求項６】
前記作成された各コマの画像に基づいて、作業場面の種類毎に推奨される複数の不安全要素画像を更新する推奨画像更新部を更に含む請求項５記載の危険予知訓練支援装置。
【請求項７】
最終コマ以外のコマ毎に、推奨される複数の不安全要素画像が予め定められており、
前記不安全要素画像選択受付部は、前記複数の不安全要素画像を選択可能に表示する際に、最終コマ以外のコマ毎に、前記コマに対して推奨される複数の不安全要素画像を選択可能に表示する請求項１〜請求項５の何れか１項記載の危険予知訓練支援装置。
【請求項８】
前記作成された各コマの画像に基づいて、最終コマ以外のコマ毎に推奨される複数の不安全要素画像を更新する推奨画像更新部を更に含む請求項７記載の危険予知訓練支援装置。
【請求項９】
作業場面を表す複数の作業場面データ、及び作業の安全性を低下させる要素である不安全要素を表す複数の不安全要素データを記憶するデータベースと、
前記複数の作業場面データを選択可能に表示する作業場面データ選択受付部と、
選択された前記作業場面データを用いて、最終コマ画像の作成を依頼する最終コマ作成部と、
前記複数の不安全要素データを選択可能に表示する不安全要素データ選択受付部と、
選択された前記不安全要素データを用いて、最終コマ以外の画像の作成を依頼するストーリーコマ作成部と、
を含む危険予知訓練支援装置。
【発明の詳細な説明】
【技術分野】
【０００１】
本発明は、危険予知訓練支援装置に関する。
【背景技術】
【０００２】
従来より、ＫＹＴ(危険予知トレーニング)活動が、一般的に作業場面（マンガ絵）を見せ、潜んでいる危険の洗い出し、その対策及び注意事項等をサークルの中で議論する事によりメンバーの危険予知能力を高める事を目的として行われている。
【０００３】
特許文献１に記載の危険予知管理サーバは、作業の作業場所を含む作業内容と、前記危険のポイントと、その危険度と、およびその対策とを関連付けた危険予知情報とともに、所定期間内の作業場所のヒヤリハットの実績回数であるヒヤリハット指数と、を記憶する記憶部と、危険予知入出力端末から、入力された情報を受信すると危険予知情報に登録するとともに、危険予知情報に基づいて作業内容に係る危険のポイントを抽出し、抽出された危険のポイントの危険度にヒヤリハット指数を乗算した値を実績危険度として算出し、該実績危険度の高い危険のポイントおよびその対策を記載した模範危険予知表を作成し、該作成した模範危険予知表を危険予知入出力端末に送信する処理部を有する。
【０００４】
この特許文献１に記載の従来技術では、労働災害の発生を防止するための適切な情報を提供する。
【先行技術文献】
【特許文献】
【０００５】
【特許文献１】特開2013-80304号公報
【発明の概要】
【発明が解決しようとする課題】
【０００６】
上記特許文献１に記載される従来技術は、マンガ絵に描かれていない危険状態も頭の中で想定した上で（例：突風が吹いたなど）、危険を洗い出すトレーニングを目的としているが、慣れとともにメンバーが受動的になり危険状態の想定が少なく、各サークルから提出されるＫＹＴ内容が同質化（マンネリ化）してしまうという課題がある。
【０００７】
本発明は、上記の事情に鑑みてなされたもので、危険状態の想定を助け、効果的な危険予知訓練を支援することができる危険予知訓練支援装置を提供することを目的とする。
【課題を解決するための手段】
【０００８】
上記の目的を達成するために第１の発明に係る危険予知訓練支援装置は、作業場面を表す複数の作業場面画像、及び作業の安全性を低下させる要素である不安全要素を表す複数の不安全要素画像を記憶する画像データベースと、前記複数の作業場面画像を選択可能に表示する作業場面画像選択受付部と、選択された前記作業場面画像を用いて、最終コマ画像を作成する最終コマ作成部と、前記複数の不安全要素画像を選択可能に表示する不安全要素画像選択受付部と、選択された前記不安全要素画像を用いて、最終コマ以外の画像を作成するストーリーコマ作成部と、作成された各コマの画像を並べて表示するコマ画像表示部と、を含んで構成されている。
【０００９】
第１の発明によれば、作業場面画像選択受付部によって、前記複数の作業場面画像を選択可能に表示する。最終コマ作成部によって、選択された前記作業場面画像を用いて、最終コマ画像を作成する。そして、不安全要素画像選択受付部によって、前記複数の不安全要素画像を選択可能に表示する。ストーリーコマ作成部によって、選択された前記不安全要素画像を用いて、最終コマ以外の画像を作成する。そして、コマ画像表示部によって、作成された各コマの画像を並べて表示する。
【００１０】
このように、複数の作業場面画像を選択可能に表示して最終コマ画像を作成し、複数の不安全要素画像を選択可能に表示して最終コマ以外の画像を作成することにより、危険状態の想定を助け、効果的な危険予知訓練を支援することができる。
【００１１】
第１の発明の不安全要素画像選択受付部は、不安全要素の種類毎に、前記複数の不安全要素画像を選択可能に表示することができる。
【００１２】
第１の発明の不安全要素の種類は、アイテム、又は外乱を含むことができる。
【００１３】
第１の発明の外乱は、天気に関するもの、時間若しくは時期に関するもの、人の心境若しくは体調に関するもの、周囲の生き物に関するもの、又は作業環境に関するものを含むことができる。
【００１４】
第１の発明の危険予知訓練支援装置において、作業場面の種類毎に、推奨される複数の不安全要素画像が予め定められており、前記不安全要素画像選択受付部は、前記複数の不安全要素画像を選択可能に表示する際に、選択された前記作業場面画像が表す作業場面の種類に対して推奨される複数の不安全要素画像を選択可能に表示することができる。
【００１５】
第１の発明の危険予知訓練支援装置は、前記作成された各コマの画像に基づいて、作業場面の種類毎に推奨される複数の不安全要素画像を更新する推奨画像更新部を更に含むことができる。
【００１６】
第１の発明の危険予知訓練支援装置において、最終コマ以外のコマ毎に、推奨される複数の不安全要素画像が予め定められており、前記不安全要素画像選択受付部は、前記複数の不安全要素画像を選択可能に表示する際に、最終コマ以外のコマ毎に、前記コマに対して推奨される複数の不安全要素画像を選択可能に表示することができる。
【００１７】
第１の発明の危険予知訓練支援装置は、前記作成された各コマの画像に基づいて、最終コマ以外のコマ毎に推奨される複数の不安全要素画像を更新する推奨画像更新部を更に含むことができる。
【００１８】
第２の発明の危険予知訓練支援装置は、作業場面を表す複数の作業場面データ、及び作業の安全性を低下させる要素である不安全要素を表す複数の不安全要素データを記憶するデータベースと、前記複数の作業場面データを選択可能に表示する作業場面データ選択受付部と、選択された前記作業場面データを用いて、最終コマ画像の作成を依頼する最終コマ作成部と、前記複数の不安全要素データを選択可能に表示する不安全要素データ選択受付部と、選択された前記不安全要素データを用いて、最終コマ以外の画像の作成を依頼するストーリーコマ作成部と、を含んで構成されている。
【００１９】
第２の発明によれば、作業場面データ選択受付部によって、前記複数の作業場面データを選択可能に表示する。最終コマ作成部によって、選択された前記作業場面データを用いて、最終コマ画像の作成を依頼する。そして、不安全要素データ選択受付部によって、前記複数の不安全要素データを選択可能に表示する。ストーリーコマ作成部によって、選択された前記不安全要素データを用いて、最終コマ以外の画像の作成を依頼する。
【００２０】
このように、複数の作業場面データを選択可能に表示して最終コマ画像の作成を依頼し、複数の不安全要素データを選択可能に表示して最終コマ以外の画像の作成を依頼することにより、危険状態の想定を助け、効果的な危険予知訓練を支援することができる。
【発明の効果】
【００２１】
以上説明したように、本発明の危険予知訓練支援装置によれば、危険状態の想定を助け、効果的な危険予知訓練を支援することができる、という効果が得られる。
【図面の簡単な説明】
【００２２】
【図１】本発明の実施の形態に係る危険予知訓練支援システムを示すブロック図である。
【図２】本発明の実施の形態に係るサーバを示すブロック図である。
【図３】作業場面画像を選択するための画面のイメージを示す図である。
【図４】作業場面画像の項目の一例を示す図である。
【図５】不安全要素画像を選択するための画面のイメージを示す図である。
【図６】不安全要素である背景の項目の一例を示す図である。
【図７】不安全要素であるアイテムの項目の一例を示す図である。
【図８】不安全要素である外乱の項目の一例を示す図である。
【図９Ａ】１コマ目の画像の一例を示す図である。
【図９Ｂ】２コマ目の画像の一例を示す図である。
【図９Ｃ】３コマ目の画像の一例を示す図である。
【図９Ｄ】４コマ目の画像の一例を示す図である。
【図１０】本発明の実施の形態に係るサーバにおける危険予知訓練支援処理ルーチンの内容を示すフローチャートである。
【発明を実施するための形態】
【００２３】
以下、図面を参照して、本発明の実施の形態について説明する。
【００２４】
＜危険予知訓練支援システムのシステム構成＞
図１に示すように、本発明の実施の形態に係る危険予知訓練支援システム１００は、ユーザが操作する情報処理端末１０と、サーバ２０とを備えている。情報処理端末１０とサーバ２０は、インターネットなどのネットワーク４１を介して相互に接続されている。なお、サーバ２０が、危険予知訓練支援装置の一例である。
【００２５】
情報処理端末１０は、ユーザの操作に応じて、サーバ２０との間でデータをやりとりする。また、サーバ２０で作成された危険予知訓練用の各コマの画像を、ユーザに対して表示する。
【００２６】
サーバ２０は、演算部２２と、通信部２４とを備えている（図２）。演算部２２は、画像データベース（ＤＢ）３０と、作業場面画像選択受付部３２と、最終コマ作成部３４と、不安全要素画像選択受付部３６と、ストーリーコマ作成部３８と、コマ画像表示部４０とを備えている。
【００２７】
通信部２４は、情報処理端末１０との間でデータの送受信を行う。
【００２８】
画像データベース３０には、作業場面を表す複数の作業場面画像、及び作業の安全性を低下させる要素である不安全要素を示す複数の不安全要素画像が記憶されている。
【００２９】
作業場面画像選択受付部３２は、情報処理端末１０に対して、複数の作業場面画像を選択可能に表示させる（図３、図４）。
【００３０】
図３では、設備課の高所作業を表す作業場面画像と、製造課のロール作業を表す作業場面画像とを、選択可能に表示する例を示している。この例では、高所作業を表す作業場面画像のオプションとして、アウトリガーの有無、作業指揮者の有無を選択可能に表示しており、ロール作業を表す作業場面画像のオプションとして、操作盤に人がいるか否か、作業指揮者の有無を選択可能に表示している。
【００３１】
また、図４では、設備課用の作業場面画像が表す作業場面の項目として、高所作業、火気工事、吊り作業、組み作業、溶接作業、電気配線工事、入槽作業、熱中症、重量物運搬、旋盤作業、フォークリフト運搬、ナイフ作業、グラインダー作業、清掃作業、脚立作業、台車運搬が含まれる例を示している。また、製造課用の作業場面画像が表す作業場面の項目として、組み作業、入槽作業、熱中症、重量物運搬、ロール作業、フォークリフト運搬、ナイフ作業、化合物合成、清掃作業、脚立作業、台車運搬が含まれる例を示している。ラボ用の作業場面画像が表す作業場面の項目として、熱中症、重量物運搬、フォークリフト運搬、ナイフ作業、グラインダー作業、薬品器具洗浄、清掃作業、脚立作業、台車運搬が含まれる例を示している。オフィス用の作業場面画像が表す作業場面の項目として、熱中症、重量物運搬、ナイフ作業、化合物合成、清掃作業、机の配置換え、配線作業、階段昇降（運搬）、脚立作業、台車運搬が含まれる例を示している。
【００３２】
情報処理端末１０では、上記図３に示すような画面から、最終コマ画像の素材として作業場面画像を選択したり、テキストを入力したりする。例えば、情報処理端末１０では、ユーザのドラッグ操作により、選択した作業場面画像を含む素材や入力したテキストを含む素材を、最終コマ画像に配置する。
【００３３】
最終コマ作成部３４は、選択された作業場面画像を用いて、最終コマ画像を作成する（図９Ｄ）。図９Ｄでは、高所作業を表す作業場面画像と、入力されたテキスト「足場解体」、「どこに危険が潜んでいるか？」とを用いて最終コマ画像を作成した例を示している。
【００３４】
例えば、最終コマ作成部３４は、ユーザのドラッグ操作により配置された作業場面画像を含む素材やテキストを含む素材を含む最終コマ画像を作成する。
【００３５】
不安全要素画像選択受付部３６は、情報処理端末１０に対して、複数の不安全要素画像を選択可能に表示させる（図５）。
【００３６】
このとき、不安全要素の種類毎に、複数の不安全要素画像を選択可能に表示する。不安全要素の種類は、アイテム、又は外乱を含む。また、外乱は、天気に関するもの、時間若しくは時期に関するもの、人の心境若しくは体調に関するもの、周囲の生き物に関するもの、又は作業環境に関するものを含む（図５〜図７）。
【００３７】
図５では、背景として、背景なしと、建設現場を表す不安全要素画像と、朝礼を表す不安全要素画像とを、選択可能に表示する例を示している。また、アイテムとして、高所作業者を表す不安全要素画像と、フォークを表す不安全要素画像と、工具箱を表す不安全要素画像とを、選択可能に表示する例を示している。また、外乱として、雨雲を表す不安全要素画像と、体調不良を表す不安全要素画像と、ノー残業デーを表す不安全要素画像とを、選択可能に表示する例を示している。また、解説欄として、項目毎の解説の入力を受け付ける例を示している。
【００３８】
図６では、背景の項目として、背景なし、朝礼・夕礼、足場、工場建屋、工場内、オフィス内、ラボ内、階段が含まれる例を示している。
【００３９】
図７では、アイテムの項目として、クレーン車、フォークリフト、脚立、梯子、計器、工具、立ち姿勢の人、しゃがみ姿勢の人、覗き込む人、喜怒哀楽の何れかの状態である人、体調不良の人、慌てている人が含まれる例を示している。
【００４０】
図８では、外乱の区分として、天気、時間・時期、人・生き物、環境が含まれ、区分「天気」の項目として、積乱雲、木枯らし、カンカン照り、杉が含まれる例を示している。区分「時間・時期」の項目として、春のカレンダー、夏のカレンダー、秋のカレンダー、冬のカレンダー、早出、夜勤、ノー残業デー、残業時間帯、作業中断（納期タイト）、定修初日、定修最終日が含まれる例を示している。区分「人・生き物」の項目として、声をかけられた人、上司に怒られた人、転勤を命じられた人、二日酔いの人、初めて構内に入る外注の人、新入社員、飛んでいる昆虫、ネズミ（ネズミの糞）が含まれる例を示している。区分「環境」の項目として、横行するフォークリフト、トラブルでの生産停止、非常ベルが含まれる例を示している。
【００４１】
図８では、各項目に、暗示しているものが対応付けられている例を示している。
【００４２】
情報処理端末１０では、上記図５に示すような画面から、１コマ目〜３コマ目の各コマについて、当該コマ画像の素材として不安全要素画像を選択したり、テキストを入力したりする。例えば、情報処理端末１０では、ユーザのドラッグ操作により、選択した不安全要素画像を含む素材や入力したテキストを含む素材を、当該コマ画像に配置する。
【００４３】
ストーリーコマ作成部３８は、選択された不安全要素画像を用いて、最終コマ以外の１コマ目〜３コマ目の画像を作成する（図９Ａ〜図９Ｃ）。
【００４４】
図９Ａでは、朝礼を表す背景画像と、二日酔いの人を表す外乱画像と、入力されたテキスト「安全に！」、吹き出し付きテキスト「本日、２時よりｘｘｘｘｘｘｘｘｘｘｘ工事はｘｘｘｘｘｘｘｘｘでｘｘｘｘに終わらせるように！」とを用いて１コマ目の画像を作成した例を示している。
【００４５】
図９Ｂでは、足場を表す背景画像と、クレーン車を表すアイテム画像と、フォークリフトを表すアイテム画像と、初めて構内に入る外注の人を表す外乱画像、入力されたテキスト「高所作業車搬入」、吹き出し付きテキスト「え！今日、高所作業するの？」、「オーライ、オーライ！」とを用いて２コマ目の画像を作成した例を示している。
【００４６】
図９Ｃでは、足場を表す背景画像と、クレーン車を表すアイテム画像と、フォークリフトを表すアイテム画像と、立ち姿勢の人を表すアイテム画像、積乱雲を表す外乱画像、入力されたテキスト「作業準備完了」、吹き出し付きテキスト「よし、準備完了！」、「これ、何時に終わり？」とを用いて３コマ目の画像を作成した例を示している。
【００４７】
例えば、ストーリーコマ作成部３８は、１コマ目〜３コマ目の各コマについて、ユーザのドラッグ操作により配置された不安全要素画像を含む素材やテキストを含む素材を含む当該コマ画像を作成する。
【００４８】
コマ画像表示部４０は、情報処理端末１０に対して、作成された各コマの画像を並べて表示させる。例えば、図９Ａ〜図９Ｄの各コマの画像を並べた画面を、情報処理端末１０に表示させる。
【００４９】
＜危険予知訓練支援システム１００の動作＞
次に、本実施の形態に係る危険予知訓練支援システム１００の動作について説明する。
【００５０】
まず、情報処理端末１０は、ユーザより、危険予知訓練用の４コマ画像の作成指示を受け付けて、４コマ画像作成要求をサーバ２０へ送信する。
【００５１】
そして、サーバ２０により、図１０に示す危険予知訓練支援処理ルーチンが実行される。
【００５２】
まず、ステップＳ１００において、作業場面画像選択受付部３２は、画像データベース３０から、複数の作業場面画像を取得し、情報処理端末１０に対して、複数の作業場面画像を選択可能に表示させる。そして、作業場面画像選択受付部３２は、情報処理端末１０から、作業場面画像を含む素材の選択及びテキストを含む素材の入力を受け付ける。
【００５３】
ステップＳ１０１において、最終コマ作成部３４は、選択された作業場面画像を含む素材に基づいて、最終コマ画像を作成するか否かを判定する。選択された作業場面画像が、一般的な危険予知訓練のための画像である場合には、その画像をそのまま最終コマ画像とすればよいため、ステップＳ１０３へ移行する。一方、選択された作業場面画像が、一般的な危険予知訓練のための画像でない場合には、ステップＳ１０２へ移行する。
【００５４】
ステップＳ１０２において、最終コマ作成部３４は、選択された作業場面画像を含む素材、及び入力されたテキストを含む素材を用いて、最終コマ画像を作成する。
【００５５】
ステップＳ１０３において、最終コマ作成部３４は、選択された作業場面画像をそのまま最終コマ画像として取り込む。
【００５６】
ステップＳ１０４において、不安全要素画像選択受付部３６は、画像データベース３０から、複数の不安全要素画像を取得し、情報処理端末１０に対して、複数の不安全要素画像を選択可能に表示させる。そして、不安全要素画像選択受付部３６は、１コマ目の画像〜３コマ目の画像の各々について、情報処理端末１０から、不安全要素画像を含む素材の選択及びテキストを含む素材の入力を受け付ける。
【００５７】
ステップＳ１０６において、ストーリーコマ作成部３８は、１コマ目の画像〜３コマ目の画像の各々について選択された不安全要素画像を含む素材及び入力されたテキストを含む素材を用いて、最終コマ以外の１コマ目〜３コマ目の画像を作成する。
【００５８】
ステップＳ１０８において、コマ画像表示部４０は、情報処理端末１０に対して、作成された各コマの画像を並べて表示させる。
【００５９】
以上説明したように、本発明の実施の形態に係る危険予知訓練支援システムによれば、複数の作業場面画像を選択可能に表示して最終コマ画像を作成し、複数の不安全要素画像を選択可能に表示して最終コマ以外の画像を作成することにより、危険状態の想定を助け、効果的な危険予知訓練を行うための４コマ画像を作成することを支援することができる。
【００６０】
＜変形例＞
本発明は、上述した実施形態に限定されるものではなく、この発明の要旨を逸脱しない範囲内で様々な変形や応用が可能である。
【００６１】
例えば、不安全要素画像選択受付部３６が不安全要素画像を選択可能に表示する際に、作業場面の種類毎に、不安全要素画像を推奨してもよい。具体的には、作業場面の種類毎に、推奨する複数の不安全要素画像を予め定めておく。そして、不安全要素画像選択受付部３６が複数の不安全要素画像を選択可能に表示する際に、選択された作業場面画像が表す作業場面の種類に対して予め定められた、推奨する不安全要素画像を選択可能に表示する。また、４コマ画像の作成結果を、フィードバックして、作業場面の種類毎に推奨される複数の不安全要素画像を更新してもよい。例えば、サーバ２０により４コマ画像を作成する毎に、作成された最終コマ画像が表す作業場面の種類に対して、作成された１コマ目〜３コマ目の画像に含まれる不安全要素画像が推奨されるように更新すればよい。
【００６２】
また、不安全要素画像選択受付部３６が不安全要素画像を選択可能に表示する際に、コマ毎に、不安全要素画像を推奨してもよい。具体的には、最終コマ以外の１コマ目〜３コマ目の各々に対して、推奨する複数の不安全要素画像を予め定めておく。そして、不安全要素画像選択受付部３６が、複数の不安全要素画像を選択可能に表示する際に、最終コマ以外の１コマ目〜３コマ目のコマ毎に、当該コマに対して予め定められた、推奨する複数の不安全要素画像を選択可能に表示する。また、４コマ画像の作成結果をフィードバックして、最終コマ以外のコマ毎に推奨される複数の不安全要素画像を更新してもよい。例えば、サーバ２０により４コマ画像を作成する毎に、１コマ目〜３コマ目の各コマに対して、作成された当該コマに含まれる不安全要素画像が推奨されるように更新すればよい。
【００６３】
また、サーバ２０が４コマ画像を自動的に作成するのではなく、イラストレーターなどの第三者へ４コマ画像の作成を依頼するための仕様書を作成するようにしてもよい。この場合には、サーバ２０は、作業場面画像や不安全要素画像を選択可能に情報処理端末１０に表示するのではなく、図４〜図８のような項目名のリストをそのまま表示することにより、複数の作業場面データや複数の不安全要素データを選択可能に情報処理端末１０に表示し、各コマ画像の素材の項目を選択させてもよい。そして、選択された作業場面データを用いて、最終コマ画像の作成を依頼するための仕様書を作成し、選択された不安全要素データを用いて、最終コマ以外の画像の作成を依頼するための仕様書を作成すればよい。
【００６４】
また、危険予知訓練を行うための４コマ画像を作成する場合を例に説明したが、これに限定されるものではない。２コマ画像、３コマ画像、又は５コマ以上の画像を作成するようにしてもよい。例えば、不安全要素としての天気を表すコマ画像と、最終コマ画像とからなる２コマ画像を作成するようにしてもよい。
【符号の説明】
【００６５】
１０   情報処理端末
２０   サーバ
２２   演算部
２４   通信部
３０   画像データベース
３２   作業場面画像選択受付部
３４   最終コマ作成部
３６   不安全要素画像選択受付部
３８   ストーリーコマ作成部
４０   コマ画像表示部
４１   ネットワーク
１００ 危険予知訓練支援システム
【要約】
【課題】危険状態の想定を助け、効果的な危険予知訓練を支援することができるようにする。
【解決手段】作業場面画像選択受付部３２によって、複数の作業場面画像を選択可能に表示する。最終コマ作成部３４によって、選択された作業場面画像を用いて、最終コマ画像を作成する。そして、不安全要素画像選択受付部３６によって、複数の不安全要素画像を選択可能に表示する。ストーリーコマ作成部３８によって、選択された前記不安全要素画像を用いて、最終コマ以外の画像を作成する。そして、コマ画像表示部４０によって、作成された各コマの画像を並べて表示する。
【選択図】図２【図１】
0006987290.tif 000002
【図２】
0006987290.tif 000003
【図３】
0006987290.tif 000004
【図４】
0006987290.tif 000005
【図５】
0006987290.tif 000006
【図６】
0006987290.tif 000007
【図７】
0006987290.tif 000008
【図８】
0006987290.tif 000009
【図９Ａ】
0006987290.tif 000010
【図９Ｂ】
0006987290.tif 000011
【図９Ｃ】
0006987290.tif 000012
【図９Ｄ】
0006987290.tif 000013
【図１０】
0006987290.tif 000014